(57)【特許請求の範囲】
【請求項１】
スラブ及び当該スラブから立ち上がる立ち上がり部をコンクリートを打設して一体に形成するために、型枠部の内方に前記コンクリートが打設されて前記立ち上がり部を形成する浮き型枠のベースからの高さを調整する高さ調整治具であって、
下部を前記ベースに支持され上下方向に延びる支持部と、
前記浮き型枠の前記型枠部の上端から外側に延びる被把持部を把持し、前記支持部に対して上下方向に移動可能な把持部と、
前記支持部に取り付けられ、前記把持部と当接して前記把持部を支持する当接支持部とを備えることを特徴とする高さ調整治具。
【請求項２】
前記支持部は、上下端部に袋ナットが取り付けられた全ねじ棒であり、
前記把持部は、前記全ねじ棒に螺合される貫通ねじ孔と、前記被把持部の下面を受ける受け面と、前記被把持部を上方から押し付け可能な押付具とを有し、
前記当接支持部は、前記全ねじ棒に螺合され、前記貫通ねじ孔に前記全ねじ棒が貫通螺合された前記把持部に当接して支持することを特徴とする請求項１に記載の浮き型枠の高さ調整治具。
【請求項３】
内方にコンクリートが打設されて立ち上がり部を形成する型枠部を備える浮き型枠を用いて、スラブ及び当該スラブから立ち上がる前記立ち上がり部をコンクリートを打設して一体に形成する方法であって、
前記浮き型枠の型枠部の上端から外側に延びる被把持部を高さ調整治具の把持部で把持する工程と、
前記高さ調整治具の支持部の下部をベースに支持する工程と、
前記把持部の前記支持部に対する上下方向の位置を調整する工程と、
前記浮き型枠の型枠部の下端から外側に延びる固定部を、固定材を介して前記ベースに固定する工程と、
前記高さ調整治具を前記浮き型枠から取り外す工程と、
前記スラブ及び前記立ち上がり部を形成するためにコンクリートを打設する工程と、
前記コンクリートが硬化した後に、前記浮き型枠を取り外す工程とを備えることを特徴とするスラブの立ち上がり部の形成方法。
【請求項４】
前記浮き型枠の被把持部は、当該浮き型枠の長手方向に連続してなり、
前記浮き型枠の固定部は、平板状の部材が間隔を開けて複数配置されることを特徴とする請求項３に記載のスラブの立ち上がり部の形成方法。
【請求項５】
前記浮き型枠は鋼製型枠であることを特徴とする請求項３か又は４に記載のスラブの立ち上がり部の形成方法。
【請求項６】
前記固定材は、
前記浮き型枠の固定部を下方から受ける受け部と、
前記受け部を前記ベースに対して支持する脚部とを備えることを特徴とする請求項３から５の何れか１項に記載のスラブの立ち上がり部の形成方法。
【請求項７】
前記浮き型枠を取り外した後、前記固定材の受け部を取り外し、当該受け部を取り外したときに生じた凹部をモルタルで補修する工程を備えることを特徴とする請求項６に記載のスラブの立ち上がり部の形成方法。
【発明の詳細な説明】
【技術分野】
【０００１】
本発明は、浮き型枠の高さ調整治具、及びこれを用いたスラブの立ち上がり部の形成方法に関する。
【背景技術】
【０００２】
共用廊下、バルコニーなどの室外と室内との間には、雨水の室内への侵入を防ぐために立ち上がり部が設けられる。例えば、集合住宅の場合、バルコニーに出るための窓の窓枠（サッシ）は立ち上がり部に設置されており、外壁がＡＬＣ板（軽量コンクリート板）の場合、その支持部として立ち上がり部が設けられる。
【０００３】
これら立ち上がり部を床コンクリートの上に後から別個に形成すると、床レベルにコンクリートの打継部が形成される。このような打継部は破損が生じやすく、長期間に亘って雨水が侵入するおそれを防止することができない。
【０００４】
そのため、立ち上がり部は床コンクリートと一体に打設することが望ましい。この場合、立ち上がり部の型枠は、床型枠などの上から床コンクリート打設分だけ浮かせた浮き型枠（浮かせ型枠ともいう）となる。
【０００５】
立ち上がり部には窓枠、ＡＬＣ板などが設置されるので、その位置と高さには十分な精度が求められる。浮き型枠の下にコンクリートブロックを設置して、浮き型枠を床型枠（ハーフＰＣａ床の場合はその上端部）から浮かせる方法がある（例えば、特許文献１参照）。しかし、この方法では、浮き型枠の高さを調整することができない。そこで、浮き型枠の高さ調整が可能な方法が提案されている。
【０００６】
例えば、特許文献２には、鉄骨鉄筋コンクリート構造の鉄骨梁であるＨ型鋼に固定治具で形鋼を固定し、この形鋼に浮き型枠を支持するねじ付きセパレータのねじ部を螺合させ、セパレータの先端のナット（Ｐコン）により浮き型枠を所定の位置に保持することが記載されている。
【０００７】
また、特許文献３には、型枠支持材の腕部を鉄筋に固定し、型枠支持材の腕部に対して上下動する縦部材の上端に固定した支承材で浮かし型枠（浮き型枠）を支承することが記載されている。
【先行技術文献】
【特許文献】
【０００８】
【特許文献１】特許第４０１０９３７号公報
【特許文献２】特開平１０−３３１４２４号公報
【特許文献３】特許第５６７０６５５号公報
【発明の概要】
【発明が解決しようとする課題】
【０００９】
しかしながら、上記特許文献２に記載の方法は、鉄骨鉄筋コンクリート構造にしか適用することができない。また、受け型枠の下方で高さ調整の作業を行うので、特に鋼製からなる重量物の浮き型枠を支承する場合、作業が困難である。さらに、固定治具、形鋼、ねじ付きセパレータを埋め殺しにしており、これらを再利用することができない。
【００１０】
上記特許文献３に記載の方法では、支持装置の取付位置付近に腕部を固定するための鉄筋が存在する必要がある。また、受け型枠の下方で高さ調整作業を行うので、特に鋼製からなる重量物の浮き型枠を支承する場合、作業が困難である。さらに、型枠支持材を埋め殺しにしており、再利用することができない。
【００１１】
特に高層の集合住宅などの場合、立ち上がり部はほぼ同じ形状のものが連続するので、浮き型枠は繰り返し使用可能な剛強な鋼製型枠であることが望ましい。上記特許文献２，３に記載の方法では、このような重量物の浮き型枠の高さを調整することは非常に困難、又は実質的に不可能であった。
【００１２】
本発明は、以上の点に鑑み、重量物の浮き型枠の高さを容易に調整することが可能な高さ調整治具、及びこれを用いたスラブの立ち上がり部の形成方法を提供することを目的とする。
【課題を解決するための手段】
【００１３】
本発明の高さ調整治具は、スラブ及び当該スラブから立ち上がる立ち上がり部をコンクリートを打設して一体に形成するために、型枠部の内方に前記コンクリートが打設されて前記立ち上がり部を形成する浮き型枠のベースからの高さを調整する高さ調整治具であって、下部を前記ベースに支持され上下方向に延びる支持部と、前記浮き型枠の前記型枠部の上端から外側に延びる被把持部を把持し、前記支持部に対して上下方向に移動可能な把持部と、前記支持部に取り付けられ、前記把持部と当接して前記把持部を支持する当接支持部とを備えることを特徴とする。
【００１４】
本発明の高さ調整治具によれば、浮き型枠の型枠部の上端から外側に延びる被把持部を、ベースに支持された支持部に上下方向に移動可能な把持部で把持する。この把持部の支持部に対する上下方向の位置さを調整すれば、浮き型枠の高さ調整を行うことができる。よって、浮き型枠の下方で高さの調整作業を行う上記特許文献２，３に記載の方法と比較して、浮き型枠の上端部で付近で高さの調整作業を行うことができるので、作業を容易に行うことが可能になる。
【００１５】
さらに、支持部に取り付けられた当接支持部を当接させて把持部を支持するので、把持部で被把持部を把持した浮き型枠を安定的に支持することができる。
【００１６】
本発明の高さ調整治具おいて、前記支持部は、上下端部に袋ナットが取り付けられた全ねじ棒であり、前記把持部は、前記全ねじ棒に螺合される貫通ねじ孔と、前記被把持部の下面を受ける受け面と、前記被把持部を上方から押し付け可能な押付具とを有し、前記当接支持部は、前記全ねじ棒に螺合され、前記貫通ねじ孔に前記全ねじ棒が貫通螺合された前記把持部に当接して支持することが好ましい。
【００１７】
この場合、全ねじ棒を回転させた力は拡大されて当接支持部とこれに支持された把持部を介して浮き型枠を上下動させるので、浮き型枠が鋼製からなる高重量物であっても高さ調整を容易に行うことができる。そして、当接支持部が把持部を当接支持した状態で高さを調節することによって高さの調節中及び調整後も浮き型枠を保持することができる。当接支持部は、例えばナットであればよい。これらにより、高さ調整治具は、全ねじ棒、ナットなどの比較的ありふれた部品で構成されており、簡易に作製することを可能となる。
【００１８】
この場合、全ねじ棒を回転させた力は拡大されて把持部を介して浮き型枠を上下動させるので、浮き型枠が鋼製からなる高重量物であっても高さ調整を容易に行うことができる。そして、調整後の状態は、当接支持部が把持部を当接支持することによって保持するｊことができる。当接支持部は、例えばナットであればよい。これらにより、高さ調整治具は、全ねじ棒、ナットなどの比較的ありふれた部品で構成されており、簡易に作製することを可能となる。
【００１９】
本発明のスラブの立ち上がり部の形成方法は、内方にコンクリートが打設されて立ち上がり部を形成する型枠部を備える浮き型枠を用いて、スラブ及び当該スラブから立ち上がる前記立ち上がり部をコンクリートを打設して一体に形成する方法であって、前記浮き型枠の型枠部の上端から外側に延びる被把持部を高さ調整治具の把持部で把持する工程と、前記高さ調整治具の支持部の下部をベースに支持する工程と、前記把持部の前記支持部に対する上下方向の位置を調整する工程と、前記浮き型枠の型枠部の下端から外側に延びる固定部を、固定材を介して前記ベースに固定する工程と、前記高さ調整治具を前記浮き型枠から取り外す工程と、前記スラブ及び前記立ち上がり部を形成するためにコンクリートを打設する工程と、前記コンクリートが硬化した後に、前記浮き型枠を取り外す工程とを備えることを特徴とする。
【００２０】
本発明のスラブの立ち上がり部の形成方法によれば、浮き型枠の型枠部の上端から外側に延びる被把持部を高さ調整治具で把持部で把持する。そして、この把持部を支持部に対する上下方向の位置を調整することにより浮き型枠の高さの調整作業を行う。よって、浮き型枠の下方で高さの調整作業を行う上記特許文献２，３に記載の方法と比較して、浮き型枠の上端部で付近で作業を行うことができるので、作業を容易に行うことが可能になる。
【００２１】
さらに、浮き型枠を固定材で固定した後、高さ調整治具は取り外される。よって、上記特許文献２，３に記載の方法と異なり、高さ調整治具を繰り返し使用することができ、コスト的に有利である。
【００２２】
本発明のスラブの立ち上がり部の形成方法において、前記浮き型枠の被把持部は、当該浮き型枠の長手方向に連続してなり、前記浮き型枠の固定部は、平板状の部材が間隔を開けて複数配置されることが好ましい。
【００２３】
この場合、高さ調整治具の支持部を支持するに適したベースの箇所で支持することが可能となる。また、間隔を開けた固定部がそれぞれ固定材を介してベースに固定されるので、浮き型枠を安定的に固定することが可能となる。
【００２４】
本発明のスラブの立ち上がり部の形成方法において、前記浮き型枠は鋼製型枠であることが好ましい。
【００２５】
この場合、浮き型枠を繰り返し使用することが可能であり、コスト的に有利である。
【００２６】
本発明のスラブの立ち上がり部の形成方法において、前記固定材は、前記浮き型枠の固定部を下方から受ける受け部と、前記受け部を前記ベースに対して支持する脚部とを備えることが好ましい。
【００２７】
この場合、浮き型枠をベースに対して安定的に固定することが可能となる。
【００２８】
本発明のスラブの立ち上がり部の形成方法において、前記コンクリートが硬化した後、前記固定材の受け部を取り外し、当該受け部を取り外したときに生じた凹部をモルタルで補修する工程を備えることが好ましい。
【００２９】
コンクリートが硬化した後、コンクリートをはつって受け部を取り外すと、所定のかぶり厚さを確保することができないおそれがある。そこで、受け部を取り外したときに生じた凹部をモルタルで補修してかぶり厚さを確保する。
【図面の簡単な説明】
【００３０】
【図１】本発明の実施形態に係る高さ調整治具を浮き型枠に取り付けた状態を示す模式的断面図。
【図２】固定材で浮き型枠を固定して状態を示す模式的断面図。
【図３】高さ調整治具を取り外し状態を示す模式的断面図。
【図４】浮き型枠などを取り外し、固定材の受け部を取り出した状態を示す模式的断面図。
【発明を実施するための形態】
【００３１】
本発明の実施形態に係る高さ調整治具１０について図面を参照して説明する。
【００３２】
図１に示すように、高さ調整治具１０は、浮き型枠２０のベースＡに対する高さの調整を行うものである。
【００３３】
浮き型枠２０は、内側にコンクリートを受ける型枠部２１と、型枠部２１上端から外側に延びる被把持部２２と、型枠部２１下端から外方に延びる固定部２３とを備えている。被把持部２２は、型枠部２１の長手方向（図１の紙面に垂直な方向）に連続して設けることが好ましい。固定部２３は、型枠部２１の長手方向に間隔を開けて複数設けることが好ましい。
【００３４】
型枠部２１は、セパレータ（不図示）などによって１対のせき板２４が所定の間隔を隔てて配置された公知の構成のものである。ここでは、せき板２４は、断面Ｌ字状のＬ形鋼２４からなっており、このＬ形鋼２４の上側に位置したフランジが被把持部２２となっている。
【００３５】
そして、固定部２３は、水平片２３ａに貫通孔２３ｂが形成されたＬ字状の鋼板であり、その垂直片２３ｃの外側面がＬ形鋼２４の外側面に溶接によって固定されている。Ｌ形鋼２４の下端と水平片２３ａの下面とは同じ高さに位置している。なお、固定部２３は、Ｌ形鋼を切断して形成したものであってもよい。
【００３６】
高さ調整治具１０は、下部をベースＡに支持され、上下方向に延びる支持部１１と、浮き型枠２０の被把持部２２を把持可能であり、支持部１１に対して上下方向に移動可能な把持部１２と、把持部１２に当接して支持する当接支持部１３とを備えている。
【００３７】
支持部１１は、上下方向に延びる全ねじ棒１１ａと、その上下端にそれぞれ螺合して固定された袋ナット１１ｂ、１１ｃとから構成されている。下端の袋ナット１１ｃの頂部がベースＡ、ここでは床型枠Ａの上面に当接することにより、支持部１１が支持されている。
【００３８】
そして、大略断面コの字のブラケット１４の基幹部１４ａには上下方向に貫通する貫通ねじ孔１４ｂが形成されており、この貫通ねじ孔１４ｂを挿通して全ねじ棒１１ａが螺合している。これにより、ブラケット１４は、支持部１１に対して上下方向に移動可能となっている。なお、ここでは、貫通ねじ孔１４ｂは、ブラケット１４の基幹部１４ａの上下方向全長に亘って設けているが、これに限定されない。例えば、基幹部１４ａの上下方向全長の一部、例えば基幹部１４ａの上端部及び下端部、あるいは上端部又は下端部のみにねじ部を設け、他の部分を単なる孔としてもよい。
【００３９】
把持部１２は、浮き型枠２０の被把持部２２を上下方向から挟んで把持するものであり、ここでは、ブラケット１４の下部飛び出し部１４ｃの上面に設けられた水平な受け面１４ｄ上に被把持部２２の下面を受けた状態で、ブラケット１４の上部飛び出し部１４ｅに貫通して形成されたねじ孔１４ｆに螺合するボルト１５の下端が被把持部２２の上面を押し付けることによって、固定される。
【００４０】
このような構成により、被把持部２２の厚さが変わっても把持部１２で被把持部２２をクランプ式に強固に把持することができる。なお、ボルト１５は、本発明の押付具に相当する。そして、把持部１２は、ブラケット１４が支持部１１に対して上下方向に移動可能となっていることにより、支持部１１に対して上下方向に移動可能となっている。
【００４１】
当接支持部１３は、ここでは、全ねじ棒１１ａの途中に螺合された長ナット１３であり、全ねじ棒１１ａの上下方向の任意の位置に位置する把持部１２に長ナット１３の上面に当接させることにより、把持部１２を支持することができる。これにより、把持部１２で被把持部２２を把持した浮き型枠２０を安定的に支持することができる。
【００４２】
このように、支持部１１は全ねじ棒１１ａからなるので、全ねじ棒１１ａを回転させることによって、把持部１２の高さを容易に調整することができる。そして、このとき、全ねじ棒１１ａの上端に固定した袋ナット１１ｂを手動又は電動でレンチなどで回転させることにより、浮き型枠２０が鋼製からなる重量物であっても、高さの調整を容易に行うことができる。さらに、袋ナット１１ｂは浮き型枠２０の上側に位置しており、浮き型枠２０の下方で作業する上記特許文献２，３の場合と比較して、高さの調整作業が容易である。
【００４３】
次に、本発明の実施形態に係る高さ調整治具１０を用いたスラブＢの立ち上がり部Ｃ（図４参照）の形成方法について図面を参照して説明する。
【００４４】
まず、図示しないが、地上の水平面で浮き型枠２０に高さ調整治具１０を固定し、浮き型枠２０の高さが水平面から予め設定された高さになるように、高さ調整治具１０の把持部１２の高さを調整する工程を行う。この調整は、全ねじ棒１１ａの上端に固定された袋ナット１１ｂをスパナなどで回転させることにより行う。調整は、把持部１２の下面に当接支持部１３の上面を当接させた状態で行い、調整後もこの状態を維持する。
【００４５】
高さ調整は、浮き型枠２０の上側で行われるので、作業が容易である。また、袋ナット１１ｂをスパナなどで回転させた力は、拡大されて把持部１２を介して浮き型枠２０を上下動させるので、浮き型枠２０が鋼製で高重量物であっても高さ調整を行うことができる。
【００４６】
なお、浮き型枠２０に対して複数の高さ調整治具１０を適宜な間隔を隔てて固定することが好ましい。浮き型枠２０の型枠部２１に対して高さ調整治具１０を対向させて固定することも好ましい。せき板２４の間隔が一定距離を保持するように、図示しないセパレータなどを用いてもよく、せき板２４を繋ぐ部材を被把持部２２上に設置してもよい。
【００４７】
次に、図１及び図２に示すように、高さ調整治具１０が固定された浮き型枠２０を、立ち上がり部Ｃ（図４参照）を形成する場所に移動させ、予め設定された位置に設置する工程を行う。
【００４８】
このとき、全ねじ棒１１ａの下端に固定された袋ナット１１ｃの頂部をベースＡの上面に当接させる。
【００４９】
そして、図示しない予め設定された基準点を基準に測量を行い、浮き型枠２０の位置を調整し、さらに、必要であれば、高さ調整治具１０によって浮き型枠２０の高さを調整する。浮き型枠２０を支持する床型枠Ａ等の表面の傾斜などによって、浮き型枠２０の高さが変化するので、浮き型枠２０の高さ調整が必要になることがある。
【００５０】
このときも、浮き型枠２０の上側で高さ調整が行われるので、作業が容易である。また、袋ナット１１ｂをスパナなどで回転させた力は、拡大されて被把持部２２を介して浮き型枠２０を上下動させるので、浮き型枠２０が鋼製で高重量物であっても高さ調整を行うことができる。なお、調整は、これ以降、適宜行ってもよい。
【００５１】
次に、浮き型枠２０を固定する固定材３０を設置する工程を行う。
【００５２】
固定材３０は、浮き型枠２０の固定部２３に固定され、床型枠Ａに対して浮き型枠２０を支持する。固定材３０は、浮き型枠２０の固定部２３を受ける受け部３１と、受け部３１を床型枠Ａに対して支持する脚部３２とを備えている。
【００５３】
ここでは、受け部３１はＰコン（プラスチックコーン）であり、脚部３２は全ねじ棒からなっている。全ねじ棒３２の上端に、Ｐコン３１が螺合して固定されている。そして、Ｐコン３１の上部のねじ部が、固定部２３の水平片２３ａに形成された貫通孔２３ｂを挿通してナット３３が螺合されている。これにより、Ｐコン３１で浮き型枠２０の固定部２３を受けた状態が、ナット３３により維持される。
【００５４】
このような構成により、受け部３１、ひいては浮き型枠２０の高さが変化しても、固定材３０で浮き型枠２０を支持することができるので、高さ調整治具１０で定めた高さを変えることなく浮き型枠２０を床型枠Ａに対して固定することができる。
【００５５】
固定材３０の脚部３２は、その下端部で、床型枠Ａに固定される。なお、床が鉄筋コンクリートスラブからなる場合は、スラブの鉄筋に脚部３２を結束すればよい、あるいは、鉄筋に固定した腕に脚部３２を溶接してもよい。また、床がハーフプレキャスト版からなる場合は、その上面でそのまま脚部３２を支持してもよく、トラス鉄筋に溶接してもよい。このように、固定材３０による浮き型枠２０の支持は、既存の方法を用いればよい。床型枠Ａ、スラブの鉄筋、ハーフプレキャスト版などが本発明のベースに相当する。
【００５６】
なお、バルコニー側にはフルプレキャスト版Ｄが設置されている。固定部２３の水平片２３ａと同じ厚さのスペーサ４１をフルプレキャスト版Ｄの上面に載置し、押え金具４２で固定部２３の水平片２３ａを押えた状態で、押え金具４２に形成された貫通孔４２ａを挿通するボルト４３によって押え金具４２がフルプレキャスト版Ｄに固定される。これにより、浮き型枠２０がフルプレキャスト版Ｄに対して固定される。
【００５７】
次に、図３に示すように、固定材３０を設置した後、高さ調整治具１０を浮き型枠２０から取り外す工程を行う。図２を参照して、ボルト１５を緩めれば、浮き型枠２０から高さ調整治具１０を容易に取り外すことができる。
【００５８】
次に、コンクリートを打設する工程を行う。
【００５９】
その後、コンクリートが固化した後、浮き型枠２０を取り外す工程を行う。これにより、図４に示すように、スラブＢと立ち上がり部Ｃとが一体化して形成される。
【００６０】
そして、ナット３３を取り外し、Ｐコン３１を取り出した後、Ｐコン３１の取り出しによって生じた凹部５１をモルタルなどで補修する工程を行う。Ｐコン３１を取り出すと、脚部３２の頭部が剥きだしになり、かぶり厚さを確保できない。そこで、凹部５１をモルタルなどで補修して、かぶり厚さを確保する。
【００６１】
なお、固定材３０の設置と高さ調整治具１０の取り外しは、コンクリート打設の直前に行うことが望ましい。
【００６２】
以上、本発明の実施形態について説明したが、本発明はこれに限定されない。例えば、高さ調整治具１０がボルト１５で押え付けて浮き型枠２０の被把持部２２を把持部１２が把持する場合について説明した。しかし、把持部１２の把持方法はこれに限定されず、例えばクリップのような機構で把持してもよい。
【００６３】
また、支持部１１は、全ねじ棒１１ａではなく、一部にねじ部を有する棒材であってもよい。そして、当接支持部１３は、長ナットではなく、通常のナットでもよく、さらには、クリップなどであってもよい。当接支持部１３は把持部１２と一体に接合されていてもよい。高さ調整は把持部１２を上下させて予め設定された高さとし、その後に当接支持部１３の上面を当接させて、調整後の状態を維持するようにしてもよい。その他、実施形態における高さ調整治具１０の構造は一例に過ぎない。
【符号の説明】
【００６４】
１０…高さ調整治具、  １１…支持部、  １１ａ…全ねじ棒、  １１ｂ、１１ｃ…袋ナット、  １２…把持部、  １３…当接支持部、長ナット、  １４…ブラケット、  １４ｂ…貫通ねじ孔、  １４ｄ…受け面、  １４ｆ…ねじ孔、  １５…ボルト、押付具、  ２０…浮き型枠、  ２１…型枠部、  ２２…被把持部、  ２３…固定部、  ２４…せき板、Ｌ形鋼、  ３０…固定材、  ３１…受け部、Ｐコン、  ３２…脚部、全ねじ棒、  ３３…ナット、  ５１…凹部、  Ａ…ベース、床型枠、  Ｂ…スラブ、  Ｃ…立ち上がり部、  Ｄ…フルプレキャスト版。
【図１】
0006373218.tif 000002
【図２】
0006373218.tif 000003
【図３】
0006373218.tif 000004
【図４】
0006373218.tif 000005